(57)【特許請求の範囲】
【請求項１】
無線受信装置であって、
サービングセル検出器入力信号に基づいて検出サービングセル信号を生成するように構成されたサービングセル検出器と、
第１干渉セル検出器入力信号に基づいて検出第１干渉セル信号を生成するように構成された第１干渉セル検出器と、
前記検出第１干渉セル信号に基づいて合成第１干渉セル信号を生成するように構成された第１干渉セル合成器であって、前記第１干渉セル合成器は、干渉セルの推定チャネル係数に基づく干渉セルチャネル歪みを前記検出第１干渉セル信号に適用し、サービングセルの等化器係数に基づくサービングセル信号に前記合成第１干渉セル信号を整合させるように構成されたフィルタを含む、第１干渉セル合成器と、
前記サービングセル検出器入力信号を生成するために、前記サービングセル信号から前記合成第１干渉セル信号を除去するように構成されたサービングセル干渉除去部と、
を備える無線受信装置。
【請求項２】
請求項１に記載の無線受信装置であって、
前記第１干渉セル検出器は、復調第１干渉セルシンボルを生成するように構成された第１干渉セル復調器を含む、無線受信装置。
【請求項３】
請求項２に記載の無線受信装置であって、
前記第１干渉セル検出器は、第１干渉セル逆拡散器をさらに含む、無線受信装置。
【請求項４】
請求項１に記載の無線受信装置であって、前記第１干渉セル合成器は、合成第１干渉セル信号に干渉セルチャネル歪みを提供するように構成されたフィルタを含む、無線受信装置。
【請求項５】
請求項１に記載の無線受信装置であって、
前記第１干渉セル合成器は、前記干渉セルにおいて使用される拡散符号によって前記検出第１干渉セル信号を再拡散するように構成された再拡散器を含む、無線受信装置。
【請求項６】
請求項１に記載の無線受信装置であって、
前記サービングセル信号を生成するように構成されたサービングセル等化器をさらに備える無線受信装置。
【請求項７】
請求項１に記載の無線受信装置であって、
前記検出サービングセル信号に基づいて合成サービングセル信号を生成するように構成されたサービングセル合成器と、
前記第１干渉セル検出器入力信号を生成するために、第１干渉セル信号から前記合成サービングセル信号を除去するように構成された第１干渉セル干渉除去部と、をさらに備える無線受信装置。
【請求項８】
請求項１に記載の無線受信装置であって、
チャネルデコードサービングセル信号を生成するように構成されたサービングセルチャネルデコーダと、
前記チャネルデコードサービングセル信号に基づいて合成サービングセル信号を生成するように構成されたサービングセル合成器と、
前記第１干渉セル検出器入力信号を生成するために、第１干渉セル信号から前記合成サービングセル信号を除去するように構成された第１干渉セル干渉除去部と、をさらに備える無線受信装置。
【請求項９】
請求項１に記載の無線受信装置であって、
第２干渉セル検出器入力信号に基づいて検出第２干渉セル信号を生成するように構成された第２干渉セル検出器と、
前記検出第２干渉セル信号に基づいて合成第２干渉セル信号を生成するように構成された第２干渉セル合成器と、をさらに備え、
前記サービングセル干渉除去部は、前記サービングセル検出器入力信号を生成するために、前記サービングセル信号から前記合成第２干渉セル信号を除去するようにさらに構成された、無線受信装置。
【請求項１０】
無線システムにおいて干渉を除去する方法であって、
第１干渉セル検出器入力信号に基づいて検出第１干渉セル信号を生成するステップと、
前記検出第１干渉セル信号に基づいて合成第１干渉セル信号を生成するステップであって、合成第１干渉セル信号を生成する前記ステップは、
干渉セルの推定チャネル係数に基づく干渉セルチャネル歪みを前記検出第１干渉セル信号に適用するステップと、
サービングセルの等化器係数に基づくサービングセル信号に前記合成第１干渉セル信号を整合させるステップとを含み、
サービングセル検出器入力信号を生成するために、前記サービングセル信号から前記合成第１干渉セル信号を除去するステップと、
検出サービングセル信号を生成するために、前記サービングセル検出器入力信号を検出するステップと、を備える方法。
【請求項１１】
請求項１０に記載の方法であって、
前記検出サービングセル信号を生成するステップは、前記サービングセル検出器入力信号を復調するステップを含む、方法。
【請求項１２】
請求項１０に記載の方法であって、
前記検出第１干渉セル信号を生成するステップは、前記第１干渉セル検出器入力信号を逆拡散するステップをさらに含む、方法。
【請求項１３】
請求項１０に記載の方法であって、前記検出第１干渉セル信号を生成するステップは、前記第１干渉セル検出器入力信号を復調するステップを含む、方法。
【請求項１４】
請求項１０に記載の方法であって、前記検出第１干渉セル信号を生成するステップは、前記第１干渉セル検出器入力信号を逆拡散するステップを含む、
方法。
【請求項１５】
請求項１０に記載の方法であって、前記検出第１干渉セル信号を生成するステップの前に、
前記検出サービングセル信号の初期バージョンを生成するステップと、
前記検出サービングセル信号の前記生成初期バージョンに基づいて合成サービングセル信号を生成するステップと、
前記第１干渉セル検出器入力信号を生成するために、第１干渉セル信号から前記合成サービングセル信号を除去するステップと、をさらに備える方法。
【請求項１６】
請求項１０に記載の方法であって、前記検出第１干渉セル信号を生成するステップの前に、
チャネルデコードサービングセル信号の初期バージョンを生成するステップと、
前記チャネルデコードサービングセル信号の前記初期バージョンに基づいて合成サービングセル信号を生成するステップと、
前記第１干渉セル検出器入力信号を生成するために、第１干渉セル信号から前記合成サービングセル信号を除去するステップと、をさらに備える方法。
【請求項１７】
請求項１０に記載の方法であって、前記サービングセル信号を生成するために、前記サービングセルから受信した信号を等化するステップをさらに備える方法。
【請求項１８】
請求項１０に記載の方法であって、
第２干渉セル検出器入力信号に基づいて検出第２干渉セル信号を生成するステップと、
前記検出第２干渉セル信号に基づいて合成第２干渉セル信号を生成するステップと、
前記サービングセル検出器入力信号を生成するために、前記サービングセル信号から前記合成第２干渉セル信号を除去するステップと、をさらに備える方法。
【発明の詳細な説明】
【技術分野】
【０００１】
本特許出願は、無線通信、より具体的には、特定のセルラ無線ネットワークにおける無線ネットワーク無線受信機における干渉除去技術に関する。
【背景技術】
【０００２】
無線受信機の性能は、少なくとも特定のシナリオにおいては、隣接セルからの干渉によって制限され得る。この干渉を減らすことにより、受信機における信号対雑音比を改善することができ、データのスループットを改善し得る。隣接セル干渉を減らすための方式には、結合検出方式、あるいは、線形タイプ３ｉ干渉知覚チップレベル等価器（linear  type  3i  interference-aware  chip-level  equalizer）などの線形干渉知覚等価器を使用するものがある。
【図面の簡単な説明】
【０００３】
添付の図面とともに、以下に示す実施例の詳細な説明を読むことにより、様々な実施例の観点が、例を通してより明らかになる。
【図１】セルラ無線ネットワークにおける第１のセル境界シナリオを示す概略図である。
【図２】セルラ無線ネットワークにおける第２のセル境界シナリオを示す概略図である。
【図３】本開示に従った無線受信装置の典型的な実装を示すブロック図である。
【図４】干渉セル検出器の典型的な実装を示すブロック図である。
【図５】干渉セル合成器の典型的な実装を示すブロック図である。
【図６】本開示に従った、干渉セル干渉除去部を有する無線受信装置の典型的な実装を示すブロック図である。
【図７】サービングセル検出器の典型的な実装を示すブロック図である。
【図８】サービングセル合成器の典型的な実装を示すブロック図である。
【図９】図３に従った無線受信装置の典型的な実装を示すブロック図である。
【図１０】図６に従った無線受信装置の典型的な実装を示すブロック図である。
【図１１】本開示に従った、２つの干渉セル干渉除去部を有する無線受信装置の典型的な実装を示すブロック図である。
【図１２】本開示に従った、クロス干渉除去のための無線受信装置の典型的な実装を示すブロック図である。
【図１３】図１２に従った無線受信装置の典型的な実装を示すブロック図である。
【図１４】図１２に従った無線受信装置の典型的な実装を示すブロック図である。
【図１５】本開示に従った無線受信装置におけるサービングセル干渉除去ブランチの典型的な実装、および、干渉セル干渉除去ブランチの典型的な実装を示すブロック図である。
【発明を実施するための形態】
【０００４】
以下の詳細な説明において、添付の図面が参照される。図面は詳細な説明の一部を形成する。また、図面には、本発明が実施され得る実施例が実例として示されている。他の実施例が利用され得、本開示の範囲から離れることなく構造的または論理的な変更がなされ得るということが理解されるべきである。従って、以下の詳細な説明は、限定的な意味で受け取られるべきものではなく、本発明の範囲は、添付されたクレームによって定義される。
【０００５】
特に注記されない限り、本明細書において説明される様々な典型的な実施例の特徴は、お互いに組合せ得るということが理解されるべきである。さらに、同じ参照番号は、対応する同一のまたは類似の部分を指し示す。
【０００６】
本明細書において用いられる用語「結合した」、および／または、「接続した」は、一般に、エレメント同士が直接結合または接続されていなければならないことを意味せず、「結合した」または「接続した」エレメントの間に、仲介エレメントが提供され得る。しかし、そのような意味に制限されることなく、用語「結合した」、および／または、「接続した」はまた、オプションとして、「結合した」または「接続した」エレメントの間に仲介エレメントが提供されることなく、エレメント同士が直接結合または接続される実装を開示することも理解され得る。
【０００７】
実施例は、ディスクリート回路、部分的に集積された回路、または全てが集積された回路において実装され得ることが理解されるべきである。さらに、実施例は、単一の半導体チップ上に、または、互いに接続された複数の半導体チップ上に実装され得る。さらに、実施例は、ソフトウェアにおいて、または、専用ハードウェアにおいて、または、部分的にソフトウェアにおいて、そして、部分的に専用ハードウェアにおいて、実装され得ることが理解されるべきである。
【０００８】
本明細書に記載される無線受信装置は、符号分割多元接続（ＣＤＭＡ）、時分割多元接続（ＴＤＭＡ）、直交ＦＤＭＡ（ＯＦＤＭＡ）、シングルキャリアＦＤＭＡ（ＳＣ−ＦＤＭＡ）等のネットワークのような様々な無線通信ネットワークのために使用され得る。用語「ネットワーク」、「システム」および「無線通信システム」は同意語的に使用され得る。ＣＤＭＡネットワークは、ユニバーサル地上無線アクセス（ＵＴＲＡ）、ｃｄｍａ２０００、等の無線技術を実装し得る。ＵＴＲＡは、広帯域ＣＤＭＡ（Ｗ−ＣＤＭＡ）および他のＣＤＭＡ変化形を含む。ｃｄｍａ２０００は、ＩＳ−２０００、ＩＳ−９５およびＩＳ−８５６規格をカバーする。ＴＤＭＡネットワークは、移動通信のためのグローバルシステム（ＧＳＭ）や、その派生形である、ＧＳＭ進化のための拡張データレート（ＥＤＧＥ）、拡張一般パケット無線サービス（ＥＧＰＲＳ）、等の無線技術を実装し得る。ＯＦＤＭＡネットワークは、進化したＵＴＲＡ（Ｅ−ＵＴＲＡ）、ウルトラ・モバイル・ブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭ．ＲＴＭ．等の無線技術を実装し得る。ＵＴＲＡおよびＥ−ＵＴＲＡは、ユニバーサル移動通信システム（ＵＭＴＳ）の一部である。ＧＳＭ／ＥＤＧＥおよびＵＭＴＳ／ＨＳＰＡ（高速パケットアクセス）技術に基づく３ＧＰＰロング・ターム・エボリューション（ＬＴＥ）ネットワークは、ＬＴＥ規格に従った動作のために構成された無線受信装置を含む。
【０００９】
以下において、用語「移動局」および「ＵＥ」（ユーザ装置）は同じ意味を有する。その意味には、様々な規格（例：ＵＭＴＳ、ＬＴＥ、およびその派生）によって与えられる定義を含む。例として、ＵＥは、セルラ電話、スマートフォン、タブレットＰＣ、ラップトップ、等によって表される。さらに、以下において、用語「基地局」および「ノードＢ」は同じ意味を有する。その意味には、様々な規格（例：ＵＭＴＳ、ＬＴＥ、およびその派生）によって与えられる定義を含む。
【００１０】
例として、本明細書において考えられる無線ネットワークは、例えば、ＨＳＰＡ（高速パケットアクセス）等の発展形を含むＵＭＴＳ（ユニバーサル移動通信システム）等のセルラ無線ネットワークであり得る。例として、セルラ無線ネットワークは、３ＧＰＰ（第３世代パートナーシッププロジェクト）によって定義されたＷＣＤＭＡ（登録商標）（広帯域ＣＤＭＡ）システムであり得る。
【００１１】
図１には、典型的な無線ネットワーク１００が示されている。無線ネットワーク１００は、セルラ無線ネットワーク１００であり得る。無線ネットワーク１００は、Ａ、Ｂ、Ｃ、Ｄ、．．．として参照されるいくつかの基地局（ノードＢ）と、複数のユーザ端末を含み得る。複数のユーザ端末は、以下においてＵＥとして参照される。その典型的なＵＥ１０１が図１に描かれている。
【００１２】
セルラ無線ネットワーク１００は、セルによって構成され、各セルは、基地局Ａ、Ｂ、Ｃ、Ｄ、．．．によってサービスされる。例として、セルＡ１、Ａ２、Ａ３は、基地局Ａによってサービスされ、セルＢ１、Ｂ２、Ｂ３は、基地局Ｂによってサービスされ、セルＣ１、Ｃ２、Ｃ３は、基地局Ｃによってサービスされ、セルＤ１、Ｄ２、Ｄ３は、基地局Ｄによってサービスされる。
【００１３】
異なる基地局（例：Ａ１、Ｂ１）によってサービスされるセルは、隣接セルからの干渉を減らすために、典型的に、異なった符号化が施された信号を使用する。この文脈におけるコーディングは、時分割コーディング、周波数分割コーディング、スクランブリング、等を含む広い意味を持っている。例として、例えばＷＣＤＭＡセルラ無線ネットワーク１００を考えた場合、異なる基地局Ａ、Ｂ、Ｃ、Ｄからの信号は、異なるスクランブリング符号によって符号化される。
【００１４】
ＵＥ１０１は、セル境界の近くに位置している。例として、セルＡ２がサービングセルであり、セルＢ１は干渉セルである。すなわち、ＵＥ１０１は、サービングセルの信号を検出するために、基地局Ａに割り当てられたスクランブリング符号を使用する。基地局Ｂに割り当てられたスクランブリング符号は、基地局Ａに割り当てられたスクランブリング符号とは異なる。
【００１５】
図２は、セル境界のシナリオを示す。ここで、ＵＥ１０１は、同じ基地局ＡによってサービスされるセルＡ２とＡ３のセル境界の近くに位置している。すなわち、この例において、セルは、同じ基地局のセクタである。例として、基地局ＡによってサービスされるセルＡ１、Ａ２およびＡ３は、例えば１２０度放射パターンを持つ指向性アンテナによって生成される。セルＡ２は、サービングセルであり、セルＡ３は干渉セルである。もし、サービングセルＡ２と干渉セルＡ３の送信パワーが同じならば、０ｄＢのキャリア対干渉比（Ｉｏｒ／Ｉｏｃ）が得られ得る。
【００１６】
図１および図２のいずれのシナリオにおいても、セル境界におけるデータスループットは、パスロスによる低い信号強度によって制限されるのではなく、干渉セルからの干渉によって制限される。この干渉を減少させる、または除去までもすることはＵＥ１０１（例：検討中の無線受信装置を含む）における信号対雑音比を改善し、データスループットを上げ得る。
【００１７】
なお、本明細書で使用する用語「セル」は広い意味を持ち得る。それは、セルセクタＡ１またはＡ２またはＡ３またはＢ１、．．.の意味、および、例えばセルセクタＡ１、Ａ２、Ａ３から構成される一つのセルのような、一つの基地局によって広がるセルの意味、の両方を含み得る。第１のケースでは、セル境界は、セルセクタ境界（図２）、および、異なる基地局のセルの境界（図１）によって定義され、一方、第２のケースでは、セル境界は、異なる基地局のセルの境界によって定義されるのみである（図１）。
【００１８】
図３は、例として、典型的な無線受信装置３００のブロック図を示す。無線受信装置３００は、干渉セル検出器３０１、干渉セル合成器３０２、サービングセル干渉除去部３０３、および、サービングセル検出器３０４を含み得る。さらに、無線受信装置３００は、サービングセル信号処理構造３０５、および、干渉セル信号処理構造３０６を含み得る。
【００１９】
サービングセル信号処理構造３０５の入力３０５ａは、無線受信装置３００が実装されているＵＥのフロントエンド（示されていない）に結合され得る。フロントエンドは、１以上のアンテナおよびＲＦ（無線周波数）段を含み得る。サービングセル信号処理構造３０５は、例えば、以下でより詳細に説明される線形干渉知覚等価器のような等価器を含み得る。さらに、サービングセル信号処理構造３０５は、遅延部、および／または、信号整合のための周波数修正部を含み得る。
【００２０】
サービングセル信号処理構造３０５の入力信号３０５ａは、一つのセル、すなわち、サービングセルから伝送された信号である。サービングセル信号処理構造３０５は、サービングセルに整合され得る。例えば、サービングセルの伝送チャネルによって生じた信号の歪みを除去するために、この信号を等価し得る。サービングセル信号処理構造３０５は、サービングセル信号３０５ｂを出力する。このサービングセル信号３０５ｂはベースバンド信号であり得る。サービングセル信号３０５ｂは、干渉セルによって生じた干渉を含む。干渉セルが強ければ強いほど、および／または、無線受信装置３００の位置がサービングセル−干渉セル境界に近ければ近いほど、サービングセル信号３０５ｂに導入される干渉は大きくなる。従来の無線受信装置においては、この干渉は雑音に追加され、検出器の性能を制限し得る。
【００２１】
サービングセル信号３０５ｂに含まれる干渉は、事実上、決定論的である。図３によれば、干渉セル検出器３０１は、干渉セル信号処理構造３０６によって出力され得る干渉セル検出器入力信号３０１ａに対して作用する。
【００２２】
干渉セル信号処理構造３０６は、実装から考えて、サービングセル信号処理構造３０５と類似し得る。そして、繰り返しを避けるために、上述の説明が参照される。しかしながら、干渉セル信号処理構造３０６は、干渉セルから伝送された干渉セル入力信号３０６ａを受信する。さらに、干渉セル信号処理構造３０６は、干渉セルに整合した信号処理を実行する。例えば、干渉セル伝送チャネルによって生じた信号の歪みを除去するために、干渉セル入力信号３０６ａの等価を実行する。
【００２３】
干渉セル検出器３０１は、干渉セルによって伝送されたシンボルを検出し得る。干渉セル検出器３０１から出力された検出干渉セル信号３０１ｂは、干渉セルシンセサイザ３０２に結合され得る。干渉セル合成器３０２は、検出干渉セル信号３０１ｂに基づいて、合成干渉セル信号３０２ｂを生成し得る。合成干渉セル信号３０２ｂは、無線受信装置３００で受信され、サービングセル信号処理構造３０５によって歪められた干渉セルからの信号に対応し得る。すなわち、サービングセル信号３０５ａ内に含まれる、干渉セルからの干渉に対応し得る。サービングセル干渉除去部３０３は、サービングセル信号処理構造３０５から出力されるサービングセル信号３０５ｂから、合成干渉セル信号３０２ｂを除去するように構成される。そのようにして、サービングセル信号３０５ｂ内に含まれる、干渉セルからの干渉が除去される。サービングセル信号３０５ｂからの干渉の除去は、干渉が、事実上決定論的である、すなわち、干渉セル検出器３０１によって検出することができる、という事実に依存している。
【００２４】
サービングセル干渉除去部３０３の出力は、サービングセル検出器３０４の入力に結合され得る。サービングセル検出器３０４は、サービングセル検出器入力信号３０４ａに基づいて、検出サービングセル信号３０４ｂを生成するように構成される。サービングセル検出器入力信号３０４ａは、サービングセル干渉除去部３０３から出力、または導出され得る。
【００２５】
図４は、干渉セル検出器３０１の典型的な実装を示している。干渉セル検出器３０１は、干渉セル復調器４０１を含み得る。干渉セル復調器４０１は、干渉セルによって伝送されたシンボルの、ハード的またはソフト的な、検出シンボル（例：検出シンボルアルファベットの信号点、および、オプションとして、検出結果に関連付けられた自信の量）を出力し得る。干渉セルの全てのチャネルのシンボル（例：１以上のユーザの専用チャネル、制御チャネル、ＨＳ−ＰＤＳＣＨ（高速物理下りリンク共有チャネル）他等の共有チャネル）が、検出干渉セル信号３０１ｂにおいて提供され得る。
【００２６】
干渉セル検出器３０１は、干渉セル逆拡散器４０２をさらに含み得る。干渉セル逆拡散器４０２は、異なるチャネル、および／またはユーザに関連付けられた信号を抽出するために、干渉セル検出器入力信号３０１ａを逆拡散し得る。もし、非ＣＤＭＡ無線ネットワーク１００が使用されているならば、干渉セル逆拡散器４０２の代わりに、干渉セルの異なるチャネルを介して伝送された信号を抽出するように構成された逆チャネル化部（de-channelization  unit）が使用され得る。
【００２７】
以下においては、一般性を失うことなく、説明を容易にするために、ＣＤＭＡ無線ネットワーク１００が想定される。干渉セル逆拡散器４０２（または、非ＣＤＭＡネットワークの場合には、対応する逆チャネル化部）は、干渉セルにおいて使用されたチャネルについての情報、すなわち、ＣＤＭＡネットワークにおいて使用された拡散符号、を持つ必要がある。
【００２８】
干渉セル逆拡散器４０２にとって、使用された拡散符号（チャネル割り当て）についての知識を得るには、異なる可能性がある。一つの可能性は、干渉セルによって使用された拡散符号を無線受信装置３００に信号で送ることである。別の可能性は、干渉セルによって使用された拡散符号についての知識を測定によって得ることである。測定方式の典型的な実装が、以下でより詳しく説明される。
【００２９】
図５は、干渉セル合成器３０２の典型的な実装を示す。干渉セル合成器３０２は、干渉セルの推定チャネル係数に基づいて、検出干渉セル信号３０１ｂに、干渉セルチャネル歪みを適用するように構成されたフィルタ５０１を含み得る。さらに、合成干渉セル信号３０２ｂは、サービングセル信号処理構造３０５において使用される等価器係数に基づいて、サービングセル信号３０５ｂに整合させられ得る。
【００３０】
干渉セル合成器３０２は、干渉セルにおいて使用された拡散符号によって、検出干渉セル信号３０１ｂ（例：少なくとも１つの復調された干渉セルチャネルの復調された干渉セルシンボル）を再拡散するように構成された再拡散器５０２をさらに含み得る。こうして、再拡散器５０２による信号出力は、干渉セルの基地局によって伝送された信号に対応し得る。先に説明した通り、干渉セルにおいて使用された拡散符号に関する情報は、シグナリングを介して、または測定によって取得し得る。
【００３１】
実装から考えて、サービングセル検出器３０４は、干渉セル検出器３０１と同様であり得る。すなわち、サービングセル検出器３０４は、サービングセル検出器入力信号３０４ａを逆拡散するように構成されたサービングセル逆拡散器（図示せず）、および／または、復調されたサービングセルシンボル（例：ハード的またはソフト的な、検出シンボル）を生成するように構成されたサービングセル復調器（図示せず）を含み得る。サービングセル検出器は、検出する前に、サービングセル干渉除去部３０３によって、サービングセル検出器入力信号３０４ａから干渉が除去されているため、高い性能、および／または、高いスループットを持ち得る。
【００３２】
図６は、無線受信装置６００の典型的な実装を示す。無線受信装置６００は、サービングセル検出器６０１、サービングセル合成器６０２、および干渉セル干渉除去部６０３をさらに含み得ることを除いて、無線受信装置３００と同一であり得る。さらに、無線受信装置６００は、第２サービングセル信号処理構造６０５を含み得る。
【００３３】
第２サービングセル信号処理構造６０５は、サービングセル信号処理構造３０５の実装と同様の実装を持ち得る。簡潔にするために、説明の繰り返しを避ける。さらに、以下でより詳しく説明されるように（例えば、図１２乃至１４を参照。）、サービングセル信号処理構造３０５と第２サービングセル信号処理構造６０５は、同じハードウェアによって実装され得る。すなわち、第２サービングセル信号処理構造６０５の出力信号は、例えば、サービングセル信号３０５ｂであり得る。別の実装において、第２サービングセル信号処理構造６０５は、サービングセル信号処理構造３０５の複製ハードウェアであり得る。
【００３４】
第２サービングセル信号処理構造６０５によって出力されるサービングセル信号６０５ｂは、サービングセル検出器６０１への入力であり得る。サービングセル検出器６０１は、サービングセル信号６０５ｂを逆拡散および復調し得る。サービングセル検出器６０１の出力は、サービングセル合成器６０２へ提供され得る。サービングセル合成器６０２は、検出サービングセル信号６０１ｂに基づいて、合成サービングセル信号を生成し得る。サービングセル合成器６０２の出力は、干渉セル干渉除去部６０３の入力と結合し得る。干渉セル干渉除去部６０３は、干渉セル信号処理構造３０６によって出力された干渉セル信号３０６ｂから、合成サービングセル信号６０２ｂを除去するように構成され得る。こうして、サービングセルからの干渉は、干渉セル検出器入力信号３０１ａから除去される。こうして、干渉セル検出器３０１は、図３の無線受信装置３００におけるよりも、よりよい性能、そして／または、より高いスループットを持ち得る。結果として、干渉セル合成器３０２によって出力される合成干渉セル信号３０２ｂは、無線受信装置３００におけるよりも、より良い品質を持ち得る。例として、サービングセル干渉除去部３０３は、図３の無線受信装置３００におけるよりも、より良く、干渉セルから干渉を除去する。
【００３５】
図７は、例として、サービングセル検出器６０１の２つの異なる実装を示す。第１の可能性によれば、サービングセル検出器６０１は、サービングセル復調器７０１と、例えば、サービングセル逆拡散器７０２（または、前に述べたように、別の逆チャネル化部）を含み得る。サービングセル逆拡散器７０２によって使用される拡散符号（または、より一般的には、チャネル化情報）は、無線受信装置６００において知られている。サービングセル復調器７０１は、第１の可能性によると、サービングセルによって伝送された検出シンボルを含む検出サービングセル信号６０１ｂを出力する。この場合、サービングセル検出器６０１の設計は、ハードウェア実装から考えて、干渉セル検出器３０１と類似している。
【００３６】
別の可能性によると、サービングセル検出器は、サービングセルチャネルデコーダ７０３をさらに含み得る。サービングセルチャネルデコーダ７０３は、検出サービングセル信号６０１ｂとして、チャネルデコードサービングセル信号６０１ｂ’を生成するように構成し得る。
【００３７】
図８は、例として、サービングセル合成器６０２の典型的な実装を示す。第１の実装によると、サービングセル合成器６０２は、サービングセル再拡散器８０２の入力で、検出サービングセル信号６０１ｂを受信する。サービングセル再拡散器８０２は、サービングセルによって使用された拡散符号によって、検出サービングセル信号６０１ｂを再拡散する。より一般的には、サービングセル再拡散器は、検出サービングセル信号６０１ｂの再チャネル化を提供する。サービングセル再拡散器８０２の出力は、サービングセルの基地局によって伝送された信号に対応し得る。
【００３８】
サービングセル再拡散器８０２の出力は、フィルタ８０１に提供され得る。フィルタ８０１は、サービングセルチャネルの推定チャネル係数を使用して再拡散信号を歪ませ得る。さらに、再拡散信号は、干渉セル信号処理構造３０６において使用される等価器係数に基づいて、干渉セル信号３０６ｂに整合させられ得る。
【００３９】
第２の実装において、サービングセル合成器は、サービングセルチャネルエンコーダ８０３をさらに含み得る。サービングセルチャネルデコーダ７０３の出力信号、すなわち、検出サービングセル信号６０１ｂ’は、サービングセルチャネルエンコーダ８０３への入力である。そのように、検出サービングセル信号６０１ｂ’は、例えば、適切なＦＥＣ（順方向エラー訂正）チャネル符号を使用することにより、再エンコードされる。サービングセルによって使用されるトランスポートブロックフォーマットとチャネル符号は、無線受信装置にとって既知なので、（オプションの）サービングセル検出器６０１におけるチャネルデコーディング、および、（オプションの）サービングセル合成器６０２におけるチャネルエンコーディングは、無線受信装置６００にとって、追加のシグナリングを必要とすることなく利用可能である。
【００４０】
図９は、無線受信装置９００を示す。無線受信装置９００は、図３の無線受信装置３００のより詳細な典型的実装であり得る。干渉セル信号処理構造３０６は、等価器９０１を含み得る。等価器９０１は、線形等価器であり得る。等価器９０１は、等価器係数ｗ２で動作するＦＩＲ（有限インパルス応答）フィルタであり得る。等価器９０１は、いわゆるタイプ３等価器であり得る。
【００４１】
干渉セル信号処理構造３０６は、周波数補正段９０２および遅延部９０３をさらに含み得る。遅延部９０３は、適切なタイミングでデータが読み出されるバッファによって実装され得る。
【００４２】
サービングセル信号処理構造３０５は、同様に、等価器９０４、周波数補正段９０５、および遅延部９０６を含み得る。等価器９０４は、線形等価器であり得る。等価器９０４は、等価器係数ｗ１で動作するＦＩＲ（有限インパルス応答）フィルタであり得る。等価器９０４は、必ずしも干渉知覚等価器である必要はないかもしれない（なぜならば、いずれにせよ後で干渉は除去されるから）。すなわち、等価器９０４は、干渉非知覚のいわゆるタイプ３等価器であり得る。等価器９０１は、例えば、いわゆるタイプ３ｉ等価器であり得る。タイプ３ｉ等価器は干渉知覚等価器である。干渉知覚等価器は、フィルタ係数ｗ２の線形フィルタに伴う確率論的スペクトル特性によって、隣接セルからの（すなわち、ここでは、例えばサービングセルからの）干渉を抑制する。遅延部９０６は、適切なタイミングでデータが読み出されるバッファによって実装され得る。
【００４３】
干渉セル検出器３０１は、干渉セル逆拡散器４０２および干渉セル復調器４０１を含み得る。干渉セル復調器４０１は、ソフトのまたはハードの逆マッピング器（demapper）であり得る。例として、ＱＰＳＫ、１６ＱＡＭ、および６４ＱＡＭシンボルが復調され得る。ソフトの逆マッピング器は、たとえば、区分的線形近似（piecewise  linear  approximation）を用いて、ＭＡＰ（最大事後（maximum  a  posteriori））基準を近似し得る。干渉セル合成器３０２は、干渉セル再拡散器５０２およびフィルタ５０１を含み得る。フィルタ５０１は、フィルタカスケードｈ２＊ｗ１によって実装され得る。フィルタカスケードｈ２＊ｗ１は、干渉セル（チャネル係数ｈ２）からサービングセル等価器ブランチ（等価器係数ｗ１）への経路を表す。
【００４４】
フィルタ５０１の出力は、周波数補正段９０７における周波数補正を受けさせられ得、合成干渉セル信号３０２ｂを提供する。すでに述べられたように、サービングセル干渉除去部３０３は、例えば減算によって、サービングセル信号３０５ｂから合成干渉セル信号３０２ｂを除去する。サービングセル干渉除去部３０３の出力は、逆拡散され、復調され、そして、例えば、サービングセル検出器３０４において以前述べられたようにチャネルデコードされ得る。
【００４５】
こうして、最初のステップにおける、タイプ３ｉ等価器等の干渉知覚等価器によって実行される線形干渉抑制は、次のステップにおける、再合成干渉信号の減算等の干渉除去による非線形干渉除去と組み合せられる。その目的のため、干渉セルのシンボルが検出され、サービングセル信号の復調とデコードの前に、推定伝送干渉セル信号が再合成され除去される。
【００４６】
一方、サービングセル信号は、干渉セル信号の検出を制限する主な干渉を表し得る。こうして、図６と連携してすでに述べたように、サービングセル信号３０５ｂから干渉を除去するために上述されたものと同様の方式が、干渉セル検出器３０１に供給される干渉セル信号３０６ｂから干渉を除去するために使用され得る。図１０は、この方式を使用する典型的な無線受信装置１０００を示す。無線受信装置１０００は、例えば、図６において示された無線受信装置６００のより詳細な実装であり得る。
【００４７】
無線受信装置１０００は、干渉セル信号処理構造３０６によって提供される干渉セル信号３０６ｂから干渉を除去するためのブランチによって補完された無線受信装置９００を含み得る。より具体的には、無線受信装置１０００は、図６と連携してすでに説明したように、第２サービングセル信号処理構造６０５、サービングセル検出器６０１、サービングセル合成器６０２、および、干渉セル干渉除去部６０３をさらに含み得る。第２サービングセル信号処理構造６０５は、等価器係数ｗ３で動作する線形等価器１００１を含み得る。線形等価器１００１は、タイプ３ｉ等価器等の干渉知覚等価器であり得る。
【００４８】
等価サービングセル信号は、周波数補正段１００２へ渡され得る。サービングセル検出器６０１は、前に述べたように（図７）、サービングセル逆拡散器７０２およびサービングセル復調器７０１を含み得る。サービングセル合成器６０２は、前に述べたように（図８）、サービングセル再拡散器８０３およびフィルタ８０１を含み得る。フィルタ８０１は、サービングセル（推定チャネル係数ｈ１）から干渉セル等価器ブランチ（等価器係数ｗ２）への経路を表すフィルタカスケードｈ１＊ｗ２であり得る。フィルタ８０１の出力は、周波数補正段９０７の周波数補正とは逆であり得る周波数補正を提供する周波数補正段１００３によって周波数補正され得る。
【００４９】
無線受信装置１０００は、以下のように動作し得る：第１に、サービングセルが、線形等価器１００１を用いて等価され得る。等価器係数ｗ３は、サービングセルに整合し、干渉セル信号を抑制するように構成され得る。線形等価器１００１の出力は、サービングセル検出器６０１によって検出され、サービングセルを定義する基地局によって伝送された（ＣＤＭＡ）サービングセル信号は、サービングセル合成器６０２によって再合成される。
【００５０】
次に、再合成信号は、線形等価器９０１を用いて等価された干渉セル信号から、（干渉セル干渉除去部６０３によって）例えば、キャンセル、または、減算等されて除去される。線形等価器９０１は、干渉セル出力信号に整合した等価器係数ｗ２を使用する。
【００５１】
干渉セル干渉除去部６０３によって生成された信号は次に、干渉除去ブランチ６０１、６０２の別のインスタンス（instance）、すなわち、干渉除去ブランチ３０１、３０２へと供給される。干渉除去ブランチ３０１、３０２は、前に述べられたように、干渉セルのＣＤＭＡ信号を検出し、再合成するように構成される。
【００５２】
干渉除去ブランチ３０１、３０２によって提供された信号は、最後に、（サービングセル干渉除去部３０３によって）線形等価器９０４の出力から、キャンセルまたは減算される等して除去される。線形等価器９０４は、サービングセルと整合する等価器係数ｗ１を用いて動作する。すべての等価器９０１、９０４、および１００１は、ＭＭＳＥ（最小平均二乗誤差）等価器であり得る。
【００５３】
干渉除去前のサービングセル信号３０５ｂのタイミングは、遅延部９０６によって調整され得、処理遅延が補償され、無線インターフェイスのタイミングに従って信号が組み合わされる。このように、遅延部９０３、９０６、および周波数補正部１００３、９０７は、干渉除去ブランチ６０１、６０２と干渉セル信号処理構造３０６との間の時間および周波数の調整（alignment）、および、干渉除去ブランチ３０１、３０２とサービングセル信号処理構造３０５との間の時間調整、をそれぞれ提供する。より一般的に、遅延部９０３および９０６は、処理経路において除去信号に供給される処理遅延の補償に寄与する。
【００５４】
なお、干渉除去ブランチ３０１、３０２および６０１、６０２は、時間多重操作等における、異なる入力パラメータ（拡散符号、変調スキーム、フィルタ係数）を使用することにより、別々のハードウェアによって、または同じハードウェアによって実装され得る。
【００５５】
図１１は、典型的な無線受信装置１１００を示す。無線受信装置１１００は、２つの干渉セルからの干渉を除去するように構成される。無線受信装置１１００は、例えば、無線受信装置１０００（図１０）の全ての構成要素を含み得る。無線受信装置１１００は、第２線形干渉セル等価器１１０１、周波数補正段１１０２、遅延部１１０４、周波数補正段１１０３、干渉セル干渉除去部１１０５、第２干渉セル検出器１１０７、第２干渉セル合成器１１０８、および、周波数補正段１１０９をさらに含み得る。等価器１１０１は、第２干渉セルに整合する等価器係数ｗ４を使用する。適切な周波数とタイミングの補正が、周波数補正段１１０２と遅延部１１０４によってそれぞれ実行される。フィルタ１１０６は、推定チャネル係数ｈ１と等価器係数ｗ４を使用するフィルタカスケードによって表され得る。フィルタ１１０６の入力信号は、再拡散器８０２の出力によって提供され得る。フィルタ１１０６は、サービングセル（推定チャネル係数ｈ１）から第２干渉セル等価器ブランチ（等価器係数ｗ４）への経路を表す。
【００５６】
フィルタ１１０６によって出力されたフィルタ信号は、第２干渉セル等価器１１０１によって提供された信号から、この信号からサービングセルに起因する干渉を除去するために、減算等によって除去される。換言すると、第２干渉セルの等価信号からの干渉の除去は、第１干渉セルの等価信号からの干渉の除去と同じように実行される。簡単に説明すると、第２干渉セル干渉除去部１１０５の出力が、第２干渉セル検出器１１０７によって検出され、第２干渉セル合成器１１０８によって再合成される。遅延部１１０４および（逆）周波数補正段１１０３および１１０９によって提供される時間および周波数調整の後、サービングセル干渉除去部３０３において、第１干渉セルの再合成信号に加えて第２干渉セルの再合成信号が、サービングセル信号３０５ｂから除去される。
【００５７】
なお、干渉除去ブランチ３０１、３０２、および６０１、６０２、ならびに１１０７、１１０８は、時分割多重化方式で適切なパラメータで動作する、三重のハードウェア、二重のハードウェア、または、一重のハードウェアの経路で実装され得る。
【００５８】
図１２は、典型的な無線受信装置１２００を示す。無線受信装置１２００は、サービングセル検出器出力信号１２０１を生成するためにクロス干渉除去方式を使用する。
【００５９】
より具体的には、無線受信装置１２００は、サービングセル信号処理構造３０５、サービングセル干渉除去部３０３、（サービングセル検出器６０１に類似する）サービングセル検出器３０４、（サービングセル合成器６０２に類似する）サービングセル合成器１２０２、干渉セル信号処理構造３０６、干渉セル干渉除去部６０３、干渉セル検出器３０１、および干渉セル合成器３０２を含み得る。繰り返しを避けるために、これらの構成要素の説明が参照される。
【００６０】
サービングセル信号処理構造３０５によって提供されるサービングセル信号３０５ｂから、干渉を除去するために、干渉セル合成器３０２の出力が、サービングセル干渉除去部３０３の入力に結合され得る。さらに、干渉セル信号処理構造３０６によって提供される干渉セル信号３０６ｂから、サービングセルに起因する干渉を除去するために、サービングセル合成器１２０２の出力が、干渉セル干渉除去部６０３の入力に結合され得る。
【００６１】
無線受信装置１２００のサービングセル処理ブランチ３０５、３０３、３０４、および１２０２において、干渉セルに起因する干渉は、サービングセル検出器３０４における復調より前に、サービングセル信号３０５ｂから除去される。干渉セル処理ブランチ３０６、６０３、３０１、および３０２において、サービングセルに起因する干渉は、干渉セル検出器３０１における復調より前に、干渉セル信号３０６ｂから除去される。
【００６２】
図１２の無線受信装置１２００の動作モードは以下の通りであり得る（動作のために使用される部の参照番号が括弧内に書き加えられている）：
Ａ）単一干渉除去
干渉セル信号の第１バージョンが検出され（３０１）、合成され（３０２）、サービングセル信号から除去される（３０３）。サービングセル信号３０５ｂは、干渉セル信号の検出（３０１）および再合成（３０２）が実行されるまで遅延させられる。その結果、同期した信号について、サービングセル干渉除去部３０３における、信号減算等の信号除去が実行される。
Ｂ）１回の全反復を伴うクロス除去
サービングセル入力信号３０５ｂの第１バージョンが検出され（３０４）、再合成される（１２０２）。サービングセル干渉除去部（３０３）は、処理のこの段階ではバイパスされる（または、バイパスと同じことになるように、値０の補正信号が減算される。）。干渉除去（６０３）は、サービングセル合成器１２０２の出力に基づく。干渉セル信号３０６ｂは、サービングセル合成器１２０２からの再合成信号が、減算等の干渉除去（６０３）のために利用可能になり同期するまで、遅延させられる。干渉除去（６０３）された信号が検出され（３０１）、再合成され（３０２）、サービングセル信号３０５ｂから除去される。そのために、合成（３０２）干渉補正信号と同期させるために、サービングセル信号処理構造３０５からの２回目のサービングセル信号３０５ｂの回収が行われる。サービングセル干渉除去部３０３の出力が検出される（３０４）。サービングセル検出器３０４の出力１２０１は、もしサービングセル検出器３０４が復調されたソフト的またはハード的サービングセルシンボルを出力するならば、出力６０１ｂ（図７）に対応し、もしサービングセル検出器３０４がサービングセルチャネルデコーダ７０３をさらに含むならば、出力６０１ｂ’（図７）に対応する。同様に、サービングセル合成器１２０２は、サービングセル合成器６０２（図８）に対応し得、サービングセル合成器６０２は、信号６０１ｂ’を受信するためにサービングセルチャネルエンコーダ８０３を含むか、または、入力信号６０１ｂを受信するためにサービングセルチャネルエンコーダ８０３を含まないか、であり得る。
Ｃ）複数の半または全反復を伴うクロス除去
上記の拡張として、複数の半または全反復が実行され得る。半反復は、サービングセル干渉除去部３０３によって、または、干渉セル干渉除去部６０３によって実行される１つの干渉除去処理に対応する。全反復は、Ｂ）において述べたとおり、干渉セル干渉除去部６０３によって実行される１つの干渉除去動作と、サービングセル干渉除去部３０３によって実行される１つの干渉除去動作とを含む、クロス干渉除去動作に対応する。注意すべきことは、反復動作中のサービングセル信号処理および干渉セル信号処理の時間的整合のために、適切な時間的整合、すなわち、サービングセル信号３０５ｂと干渉セル信号３０６ｂの、信号遅延、および／または、遅延信号回収が使用されるということである。
【００６３】
オプションとして、複数反復の場合に、干渉除去後の対応信号により良く整合するために、線形干渉自覚等価器９０４（等価器係数ｗ１）および９０１（等価器係数ｗ２）における干渉抑制が、対応する信号処理ブランチにおける残りの干渉レベルに適合させられ得る。例として、線形干渉自覚等価器９０４、９０１のそれぞれの等価器係数ｗ１、ｗ２における干渉自覚寄与は、反復数に伴って変化する重みによって重み付けされ得る。反復数が大きくなるに従って重みは小さくなり得る。この方式を使用することにより、サービングセル信号３０５ｂ、および／または、干渉セル信号３０６ｂの信号バージョンは、反復毎に異なり得る。
【００６４】
さらなるオプション的な修正が可能である。例として、ＣＰＩＣＨ（共通パイロットチャネル（Common  PIlot  CHannel））、または、ＳＣＨ（同期チャネル（Synchronization  CHannel））等の完全に先験的な既知チャネルの除去は、これらのチャネルの復調無しに実行し得る。これについては、例として、以下でさらに説明される。さらに、ＨＳ−ＳＣＣＨ（高速物理共有制御チャネル（High  Speed  Shared  Controlled  CHannel））およびＨＳ−ＰＤＳＣＨ（高速物理下りインク共有チャネル（High  Speed  Physical  Downlink  Shared  CHannel））等の部分に既知なチャネルは、そのチャネルについてサービングセル上で割り当てられた符号の位置しか知られておらず、チャネルデコーダによってデコードされ得、デコードされたビットは、干渉セル信号３０６ｂの干渉除去のために使用されるサービングセル信号の再合成のために、使用され得る。この方式は、例として、以下でまたさらに説明されるであろう。
【００６５】
図１３は、典型的な無線受信装置１３００を示す。無線受信装置１３００は、無線受信装置１２００に対応し得、反復を避けるために、上述の説明が参照される。
【００６６】
例として、サービングセル（セル１）および干渉セル（セル２）の両方がＷＣＤＭＡ／ＨＳＰＡ＋信号を伝送し得る。信号は、それぞれ、無線伝搬フェージングチャネルｈ１およびｈ２を通して伝搬する。加算器１３０１、１３０２は、等価回路図において、２つのチャネルに起因するクロス干渉を表す。
【００６７】
チャネルｈ１およびｈ２は推定され。そして、チャネル推定ｈｅｓｔ，１およびｈｅｓｔ，２は、それぞれ等価器係数ｗ１およびｗ２を計算するために使用される。等価器係数ｗ１はサービングセルと整合し、例えば干渉自覚ＭＭＳＥタイプ３ｉ受信機構造によって干渉セルを抑制する。同様に、等価器係数ｗ２は干渉セルと整合し、例えば干渉知覚ＭＭＳＥタイプ３ｉ受信機構造によってサービングセルを抑制する。以前説明したように、等価は、等価器９０４および９０１によってそれぞれ実行され得る。
【００６８】
等価器９０４の出力は、バッファ１３０３に結合させられる。バッファ１３０３は、図９における遅延部９０６を表し得る。等価器９０１の出力は、バッファ１３０４に結合させられる。バッファ１３０４は、図９における遅延部９０３を表し得る。例えば、減算器１３０５および１３０６は、サービングセル干渉除去部３０３および干渉セル干渉除去部６０３に、それぞれ対応する。
【００６９】
図１３に示されるように、サービングセルおよび干渉セルの既知のチャネルＣＰＩＣＨ、ＳＣＨは、ジェネレータ１３０８および１３０７においてそれぞれ生成される。さらに、図１３は、サービングセル検出ブランチにおける逆拡散器（サービングセル逆拡散器７０２に対応する）の出力に基づいた、ソフトビット生成部１３０８におけるソフトビット生成を示す。ソフトビット生成部１３０８において生成されるソフトビットは、変調スキーム信号点のソフトビットである。ターボ・デコーダ１３０９等のチャネルデコーダは、ソフトビットを受信し、デコードされたビットを生成し得る。
【００７０】
注意すべきは、本明細書に記載された全ての実施例において、干渉除去は、例えば、逆拡散の前に、すなわち、チップレベルで、実行され得るということである。チップレベルで干渉除去を実行することは、逆拡散後では補償することが困難な、コード間およびマルチパス効果を回避する。しかしながら、干渉除去はまた、シンボルレベル等の逆拡散後に実行し得る。
【００７１】
図１４は、典型的な無線受信装置１４００を示す。無線受信装置１４００は、サービングセル検出器３０４がターボ・デコーダ１３０９を含み得、したがって図７のサービングセル検出器６０１に対応することを除いて、無線受信装置１３００と同一であり得る。ターボ・デコーダ１３０９によって提供されるデコードビットは、チャネルエンコーダ１４０１（図８のサービングチャネルエンコーダ８０３に対応）において、検討中のＵＥにとって既知のトランスポートブロックフォーマットを使用して、再エンコードされる。再エンコードされたビットは次に、サービングセル合成器１２０２に渡される。
【００７２】
オプションとして、サービングセル合成器１２０２は、選択スイッチ１４０２を装備する。選択スイッチ１４０２は、再符号化ビットまたは復号シンボルを、さらなる処理のために提供するように動作し得る。選択スイッチの設定に基づいて、電力消費、および／または、干渉除去性能が影響を受け得る。
【００７３】
図１５は、典型的な無線受信装置１５００を示す。無線受信装置１５００は、１以上のこれまでに述べられた無線受信装置に対応し得る。そして、繰り返しを避けるために、上述の記載が参照される。特に、無線受信装置１５００は、図１０の無線受信装置１０００のより詳細な説明であり得る。
【００７４】
一般に、干渉セルにおいて使用されるチャネル化（例、拡散符号）は、検討中のＵＥにとって既知ではない。さらに、また、サービングセルの他のユーザに割り当てられたチャネル化（例、拡散符号）は、既知ではない。したがって、干渉セル信号、および／または、サービングセル信号を合成するためには、干渉セルにおいて使用されるチャネル化に関する情報（例、拡散符号）、および／または、他のユーザのためのチャネル化に関する情報（例、他のユーザに割り当てられた拡散符号）が、それぞれ、干渉セル干渉除去およびサービングセル干渉除去のために提供されなければならない。特に、サービングセル、および／または、干渉セルの、例えば使用された拡散符号の全てに関する知識は必要であり得る。
【００７５】
基本的に、この情報は、各基地局からシグナリングすることにより、および／または、この情報を推定することにより、取得し得る。推定することは、拡散符号、および、特に、対応するセル（干渉セル、および／または、サービングセル）において使用される全ての拡散符号、の符号検索を含み得る。一般性を失うことなく、以下において、干渉セルにおいて、および、サービングセルにおいて、チャネル化のためにＯＶＳＦ（直交可変拡散率）符号が使用されると想定する。
【００７６】
図１５によれば、無線受信装置１５００は、干渉セル符号検索部１５１０を含み得る。干渉セル符号検索部１５１０は、干渉セル等価器９０１の出力に結合された入力を持ち得る。干渉セル符号検索部１５１０は、全てのＯＶＳＦ符号にわたる、すなわち、完全なＷＣＤＭＡ  ＯＶＳＦ符号ツリーにわたる、符号検索を実行し得る。干渉セル符号検索部１５１０は、割り当てられた拡散符号を示す第１出力１５１０ａと、割り当てられた拡散符号の符号パワーを示す第２出力１５１０ｂを持ち得る。全ての使用された拡散符号信号を、逆拡散器４０２および再拡散器５０２が逆拡散および再拡散できるように、逆拡散器４０２および再拡散器５０２に第１出力１５１０ａが提供され得る。第２出力１５１０ｂは、必要であれば、復調のために、復調器（例、ソフト／ハード・逆マッピング器）４０１に、提供され得る。干渉セル符号検索部１５１０の測定遅延を補償するために、内部遅延部１５０２が使用され得る。
【００７７】
干渉セル符号検索部１５１０は、例えば全ての符号１５１１のための逆拡散器１５１１、評価部１５１２、および、符号識別部１５１３を例えば含み得る。
【００７８】
逆拡散器１５１１は、高速ウォルシュ・ハダマード変換（ＦＷＨＴ）逆拡散器であり得る。ＦＷＨＴ逆拡散器は、固定された数の拡散符号を含む、完全なＷＣＤＭＡ  ＯＶＳＦ符号ツリーを逆拡散し得る。評価部１５１２は、各符号の符号パワーと、符号毎のパワー測定に基づく測定基準（metric）等を計算する計算段を含み得る。符号パワー、および／または、対応する測定基準値は、符号識別部１５１３に渡され得る。符号識別部１５１３は、使用されているならば、走査した拡散符号が使用されているか否かを決定する。再拡散器５０２は、干渉セル基地局から伝送された信号を合成する、逆高速ウォルシュ・ハダマード変換（ｉＦＷＨＴ）再拡散器であり得る。
【００７９】
サービングセル処理ブランチは、サービングセル符号検索部１５２０を含み得る。サービングセル符号検索部１５２０は、干渉セル符号検索部１５１０と同様であり得る。しかし、少なくとも、検討中のＵＥによって使用される拡散符号は既知であり、したがって、必ずしもすべてのＯＶＳＦツリーの拡散符号が符号検索のために逆拡散されないことが可能であり得る。干渉セル符号検索部１５１０と同様、サービングセル符号検索部１５２０は、符号割当てを示す第１出力１５２０ａと、使用された拡散符号の符号パワーを示す第２出力１５２０ｂを生成し得る。再拡散器５０２と同様、再拡散器８０２は、ｉＦＷＨＴ再拡散器であり得る。再拡散器８０２は、サービングセルの基地局によって伝送された、拡散（一般的には、チャネル化された）信号を合成し得る。
＜例＞
【００８０】
以下の例は、さらなる実施例に関連する。
【００８１】
例１は、サービングセル検出器入力信号に基づいて検出サービングセル信号を生成するように構成されたサービングセル検出器と、第１干渉セル検出器入力信号に基づいて検出第１干渉セル信号を生成するように構成された第１干渉セル検出器と、検出第１干渉セル信号に基づいて、合成第１干渉セル信号を生成するように構成された第１干渉セル合成器と、サービングセル検出器入力信号を生成するために、合成第１干渉セル信号をサービングセル信号から除去するように構成されたサービングセル干渉除去部と、を含む無線受信装置。
【００８２】
例２において、例１の主題は、オプションとして、第１干渉セル検出器が、復調された第１干渉セルシンボルを生成するように構成された第１干渉セル復調器を含むことを含むことができる。
【００８３】
例３において、例１または２のいずれかの主題は、オプションとして、第１干渉セル検出器が、第１干渉セル逆拡散器をさらに含むことを含むことができる。
【００８４】
例４において、例１乃至３のいずれかの主題は、オプションとして、第１干渉セル合成器が、合成第１干渉セル信号に干渉セルチャネル歪みを提供するように構成されたフィルタを含むことを含むことができる。
【００８５】
例５において、例１乃至４のいずれかの主題は、オプションとして、第１干渉セル合成器が、干渉セルにおいて使用された拡散符号によって、検出第１干渉セル信号を再拡散するように構成された再拡散器を含むことを含むことができる。
【００８６】
例６において、例１乃至５のいずれかの主題は、オプションとして、サービングセル信号を生成するように構成されたサービングセル等価器を含むことを含むことができる。
【００８７】
例７において、例１乃至６のいずれかの主題は、オプションとして、検出サービングセル信号に基づいてサービングセル信号を生成するように構成されたサービングセル合成器と、第１干渉セル検出器入力信号を生成するために、合成サービングセル信号を、第１干渉セル信号から除去するように構成された第１干渉セル干渉除去部と、を含むことができる。
【００８８】
例８において、例１乃至７のいずれかの主題は、オプションとして、チャネルデコードサービングセル信号を生成するように構成されたサービングセルチャネルデコーダと、チャネルデコードサービングセル信号に基づいて、合成サービングセル信号を生成するように構成されたサービングセル合成器と、第１干渉セル検出器入力信号を生成するために、合成サービングセル信号を、第１干渉セル信号から除去するように構成された第１干渉セル干渉除去部と、を含むことができる。
【００８９】
例９において、例１乃至８のいずれかの主題は、オプションとして、第２干渉セル検出器入力信号に基づいて検出第２干渉セル信号を生成するように構成された第２干渉セル検出器と、検出第２干渉セル信号に基づいて、合成第２干渉セル信号を生成するように構成された第２干渉セル合成器と、サービングセル干渉除去部が、サービングセル検出器入力信号を生成するために、合成第２干渉セル信号をサービングセル信号から除去するようにさらに構成されることと、を含むことができる。
【００９０】
例１０において、例１乃至９のいずれかの主題は、オプションとして、第１干渉セル検出器が、第１干渉セル検出器入力信号において使用された少なくとも１つの拡散符号を識別するように構成された符号検索部をさらに含むことを含むことができる。
【００９１】
例１１において、例１乃至１０のいずれかの主題は、オプションとして、第１干渉セル逆拡散器が、少なくとも１つの識別された拡散符号によって第１干渉セル検出器入力信号を逆拡散するように構成された第１干渉セル逆拡散器を含むことを含むことができる。
【００９２】
例１２において、例１乃至１１のいずれかの主題は、オプションとして、符号検索部が、高速ウォルシュ・ハダマード変換を実行するように構成された符号検索逆拡散器を含むことを含むことができる。
【００９３】
例１３において、例１乃至１２のいずれかの主題は、オプションとして、第１干渉セル合成器が、少なくとも１つの識別された拡散符号によって、検出第１干渉セル信号を再拡散するように構成された再拡散器を含むことを含むことができる。
【００９４】
例１４において、例１乃至１３のいずれかの主題は、オプションとして、再拡散器が、逆高速ウォルシュ・ハダマード変換を実行するように構成されることを含むことができる。
【００９５】
例１５において、無線システムにおいて干渉を除去する方法は、第１干渉セル検出入力信号に基づいて、検出第１干渉セル信号を生成するステップと、検出第１干渉セル信号に基づいて、合成第１干渉セル信号を生成するステップと、サービングセル検出器入力信号を生成するために、合成第１干渉セル信号を、サービングセル信号から除去するステップと、検出サービングセル信号を生成するために、サービングセル検出器入力信号を検出するステップと、を含む。
【００９６】
例１６において、例１５の主題は、オプションとして、検出サービングセル信号を生成するステップが、サービングセル検出器入力信号を復調するステップを含むことを含むことができる。
【００９７】
例１７において、例１５または１６のいずれか１つの主題は、オプションとして、検出第１干渉セル信号を生成するステップが、第１干渉セル検出器入力信号を逆拡散するステップをさらに含むことを含むことができる。
【００９８】
例１８において、レジ１５乃至１７のいずれか１つの主題は、オプションとして、検出第１干渉セル信号を生成するステップが、第１干渉セル検出器入力信号を復調するステップを含むことを含むことができる。
【００９９】
例１９において、例１５乃至１８のいずれか１つの主題は、オプションとして、検出第１干渉セル信号を生成するステップが、第１干渉セル検出器入力信号を逆拡散するステップを含むことを含むことができる。
【０１００】
例２０において、例１５乃至１９のいずれか１つの主題は、オプションとして、検出第１干渉セル信号を生成するステップの前に、検出サービングセル信号の初期バージョンを生成するステップと、検出サービングセル信号の検出初期バージョンに基づいて合成サービングセル信号を生成するステップと、第１干渉セル検出器入力信号を生成するために、合成サービングセル信号を、第１干渉セル信号から除去するステップと、を含むことができる。
【０１０１】
例２１において、例１５乃至２０のいずれか１つの主題は、オプションとして、検出第１干渉セル信号を生成するステップの前に、チャネルデコードサービングセル信号の初期バージョンを生成するステップと、チャネルデコードサービングセル信号の初期バージョンに基づいて、合成サービングセル信号を生成するステップと、第１干渉セル検出器入力信号を生成するために、合成サービングセル信号を、第１干渉セル信号から除去するステップと、を含むことができる。
【０１０２】
例２２において、例１５乃至２１のいずれか１つの主題は、オプションとして、サービングセル信号を生成するために、サービングセルから受信した信号を等価するステップを含むことができる。
【０１０３】
例２３において、例１５乃至２２のいずれか１つの主題は、オプションとして、だ時２の干渉セル検出器入力信号に基づいて、検出第２干渉セル信号を生成するステップと、検出第２干渉セル信号に基づいて、合成第２干渉セル信号を生成するステップと、サービングセル検出器入力信号を生成するために、合成第２干渉セル信号をサービングセル信号から除去するステップと、を含むことができる。
【０１０４】
例２４は、無線受信装置であり、該無線受信装置は、第１セル信号において使用される少なくとも１つの拡散符号を識別するように構成された符号検索部と、少なくとも１つの識別された拡散符号によって第１セル信号を逆拡散するように構成された逆拡散部と、少なくとも１つの逆拡散された第１セル信号を復調するように構成された復調器と、少なくとも１つの復調された第１セル信号に基づいて合成第１セル信号を生成するように構成された合成部と、を含む。
【０１０５】
例２５において、例２４の主題は、オプションとして、減少干渉第２セル信号を生成するために、合成第１セル信号を第２セル信号から除去するように構成された干渉除去部を含むことができる。
【０１０６】
例２６において、例２４、２５のいずれか１つの主題は、オプションとして、符号検索部が、高速ウォルシュ・ハダマード変換を実行するように構成された符号検索逆拡散器を含むことを含むことができる。
【０１０７】
例２７において、例２４乃至２６のいずれか１つの主題は、オプションとして、合成器が、少なくとも１つの識別された拡散符号によって少なくとも１つの復調された第１セル信号を再拡散するように構成された再拡散器を含むことを含むことができる。
【０１０８】
例２８において、例２４乃至２７のいずれか１つの主題は、オプションとして、再拡散器が、逆高速ウォルシュ・ハダマード変換を実行するように構成されることを含むことができる。
【０１０９】
例２９において、例２４乃至２８のいずれか１つの主題は、オプションとして、合成部が、第１セルチャネル歪みに整合するフィルタ係数によって再拡散された信号をフィルタにかけるように構成されたフィルタ段を含むことを含むことができる。
【０１１０】
明細書において、特定の実施例および例が示され説明されたが、本発明の範囲から離れることなく、様々な代替、および／または、均等の実装が、示され説明された特定の実施例を置換し得ることが、当業者によって理解されるであろう。本出願は、本明細書に記載された実施例および例のいかなる適用、または、バリエーションを包含することを意図している。従って、本発明は、クレームおよびその均等物によってのみ制限されることを意図している。
本出願は、２０１３年６月２７日に出願された米国特許出願１３／９２９、２２８に基づく優先権を主張する。
【符号の説明】
【０１１１】
３００    無線受信装置
３０１    第１干渉セル検出器
３０１ａ  第１干渉セル検出入力信号
３０１ｂ  検出第１干渉セル信号
３０２    第１干渉セル合成器
３０３    サービングセル干渉除去部
３０４    サービングセル検出器
３０４ａ  サービングセル検出器入力信号
３０４ｂ  検出サービングセル信号
３０５ｂ  サービングセル信号
４０１    第１干渉セル復調器
４０２    第１干渉セル逆拡散器
５０１    フィルタ
５０２    再拡散器
６０２    サービングセル合成器
６０３    第１干渉セル干渉除去部
７０３    サービングセルチャネルデコーダ
９０４    サービングセル等価器
１１０７  第２干渉セル検出器
１１０８  第２干渉セル合成器
【図１】
0005901691.tif 000002
【図２】
0005901691.tif 000003
【図３】
0005901691.tif 000004
【図４】
0005901691.tif 000005
【図５】
0005901691.tif 000006
【図６】
0005901691.tif 000007
【図７】
0005901691.tif 000008
【図８】
0005901691.tif 000009
【図９】
0005901691.tif 000010
【図１０】
0005901691.tif 000011
【図１１】
0005901691.tif 000012
【図１２】
0005901691.tif 000013
【図１３】
0005901691.tif 000014
【図１４】
0005901691.tif 000015
【図１５】
0005901691.tif 000016